(57)【要約】      （修正有）【課題】加熱効果及び放熱効果に優れる磁気パーマ機用の導磁による加熱管を提供する。【解決手段】導磁による加熱管はチューブを備え、チューブは内筒１ｂ及び外筒１を含む。外筒には内筒が内装され、内筒は第一チューブ及び第二チューブの２層構造で構成される。第一チューブには第二チューブが内装され、第一チューブの上端には第一チューブ内の蒸気の放出に用いられる通気孔が設けられる。外筒の一端または両端には防熱に用いられる突起５が設けられる。その構造は簡潔であり、加熱効果及び放熱効果に優れる。【選択図】図１
0003215282.tif 000002
【実用新案登録請求の範囲】
【請求項１】
チューブを備える導磁による加熱管であって、前記チューブは内筒（１ｂ）及び外筒（１）を含み、前記外筒（１）には前記内筒（１ｂ）が内装され、前記内筒（１ｂ）は第一チューブ（２）及び第二チューブ（３）で構成され、前記第一チューブ（２）には前記第二チューブ（３）が内装され、前記第一チューブ（２）の上端には前記第一チューブ（２）内の蒸気を放出させるための通気孔（４）が設けられ、前記外筒（１）の一端または両端には防熱に用いられる突起（５）が設けられることを特徴とする導磁による加熱管。
【請求項２】
前記外筒（１）には連接板（６）が内設され、前記連接板（６）には貫通孔（７）が設けられ、前記第一チューブ（２）の底部と前記連接板（６）とは相互に当着されることを特徴とする請求項１に記載の導磁による加熱管。
【請求項３】
前記第一チューブ（２）の上端には連接用突起部（８）が設けられ、前記通気孔（４）は前記連接用突起部（８）の中心に設けられると共に前記第一チューブ（２）の内部に連通されることを特徴とする請求項１に記載の導磁による加熱管。
【請求項４】
前記第一チューブ（２）の底端には前記第二チューブ（３）の位置を限定させるための位置限定バー（９）が設置されることを特徴とする請求項１に記載の導磁による加熱管。
【請求項５】
前記第一チューブ（２）の底端には前記第一チューブ（２）の末端を密封させるためのプラグ（１０）が設置され、前記プラグ（１０）と前記連接板（６）とは相互に当着されることを特徴とする請求項２に記載の導磁による加熱管。
【請求項６】
前記外筒（１）の両端にはゴムバンドの連結に用いられる切欠き（１１）が設けられることを特徴とする請求項１に記載の導磁による加熱管。
【請求項７】
前記第一チューブ（２）の材料は耐高温材料であることを特徴とする請求項１に記載の導磁による加熱管。
【請求項８】
前記第二チューブ（３）の材料はステンレスであることを特徴とする請求項１に記載の導磁による加熱管。
【考案の詳細な説明】
【技術分野】
【０００１】
本考案は、磁気パーマ機に関し、更に詳しくは、導磁による加熱管に関する。
【背景技術】
【０００２】
従来の技術において、よくある磁気パーマ機は主に加熱台及び加熱管を備え、加熱台内の電磁コイルにより加熱管に対する加熱が行われる。
【考案の概要】
【考案が解決しようとする課題】
【０００３】
ところが、加熱が完了した加熱管には、加熱効果及び放熱効果が不均等であるという問題が存在する。
本考案は、上記課題解決のため、構造が簡潔であり、加熱効果及び放熱効果に優れる導磁による加熱管を提供することを目的とする。
【課題を解決するための手段】
【０００４】
上述した課題を解決し、目的を達成するために、本考案に係る導磁による加熱管の特徴は、チューブを備え、前記チューブは内筒及び外筒を含む。外筒には内筒が内装され、前記内筒は第一チューブ及び第二チューブで構成され、第一チューブには第二チューブが内装される。前記第一チューブの上端には第一チューブ内の蒸気の放出に用いられる通気孔が設けられ、外筒の一端または両端には防熱に用いられる突起が設けられる。
【０００５】
好ましい実施形態において、前記外筒には連接板が内設され、連接板には貫通孔が設けられ、前記第一チューブの底部と連接板とは相互に当着される。
【０００６】
好ましい実施形態において、前記第一チューブの上端には連接用突起部が設けられ、通気孔は連接用突起部の中心に設けられると共に第一チューブの内部に連通される。
【０００７】
好ましい実施形態において、前記第一チューブの底端には第二チューブの位置を限定させるための位置限定バーが設置される。
【０００８】
好ましい実施形態において、前記第一チューブの底端には第一チューブの末端を密封させるためのプラグが設置され、プラグと連接板とは相互に当着される。
【０００９】
好ましい実施形態において、前記外筒の両端にはゴムバンドの連結に用いられる切欠きが設けられる。
【００１０】
好ましい実施形態において、前記第一チューブの材料は耐高温材料である。
【００１１】
好ましい実施形態において、前記第二チューブの材料はステンレスである。
【考案の効果】
【００１２】
本考案によれば、外筒には２層構造の内筒が内装され、第一チューブには通気孔が設けられる。その構造は簡潔であり、且つ加熱効果及び放熱効果に優れる。
【図面の簡単な説明】
【００１３】
【図１】本考案の一実施形態に係る導磁による加熱管構成を示す分解図である。
【図２】本考案の一実施形態に係る導磁による加熱管を示す組立図である。
【図３】本考案の内筒の断面構成を示す概略図である。
【図４】本考案の導磁による加熱管構成を示す概略図である。
【考案を実施するための形態】
【００１４】
図１乃至４に示されるように、磁気パーマ機は主に加熱台（不図示）及び加熱管を備える。
【００１５】
導磁による加熱管はチューブを具備し、前記チューブは内筒１ｂ及び外筒１を含む。外筒１には内筒１ｂが内装され、前記外筒１と内筒１ｂとの間には内管１２が設置される。
【００１６】
前記内管１２の材料はステンレスである。内筒１ｂの外側は内管の内壁に緊密に貼着される。前記内筒１ｂは第一チューブ２及び第二チューブ３を備え、第一チューブ２には第二チューブ３が内装される。
【００１７】
前記第一チューブ２の底端には第二チューブ３の位置を限定させるための位置限定バー９が設置される。前記第一チューブ２の上端には第一チューブ２内の蒸気を放出させるための通気孔４が設けられる。外筒１の一端または両端には防熱に用いられる突起５が設けられる。前記突起５には導熱に用いられる凹部１３が設けられる。外筒１の両端にはゴムバンドの連結に用いられる切欠き１１が設けられる。
【００１８】
前記外筒１には第一チューブ２の底部に相互に当着される連接板６が内設される。連接板６には貫通孔７が設けられ、第一チューブ２の底端には第一チューブ２の末端を密封させるためのプラグ１０が設置され、前記プラグ１０と連接板６とは相互に当着される。
【００１９】
前記第一チューブ２の上端には連接用突起部８が設けられる。通気孔４は連接用突起部８の中心に設けられると共に第一チューブ２の内部に連通される。第一チューブ２の材料はプラスチックまたはシリコーン等の耐高温材料である。前記第二チューブ３の材料はステンレスであり、第一チューブ２、第二チューブ３、外筒１及び内管１２は共に中空のチューブである。
【００２０】
使用においては、加熱管の外筒１及び内筒１ｂを加熱台にそれぞれ固定させて加熱を行う。加熱が完了した後、外筒１に設置される突起５及び凹部１３が防熱作用を発揮させることにより、外筒１を直接手に持って巻き付け操作を行うことが可能になる。
【００２１】
巻き付け操作を一定時間行った後、外筒１の温度が巻き付け操作に必要な温度を下回れば、接用突起部８を直接手にとって内筒１ｂを取り出すことが可能になり、且つ取り出された内筒１ｂを外筒１の内部に内装させて伝熱させることにより、巻き付け操作を継続して実施可能になる。
【００２２】
本実施形態において、導磁による加熱管は構造が簡潔であり、内筒１ｂは２層構造となり、内部のステンレス層により耐高温材料層に放熱された後、外筒１に放熱されることにより、伝熱速度を均等にし、これにより加熱も均等になり、放熱効果が良好になる。
【符号の説明】
【００２３】
（１）外筒
（１ｂ）内筒
（２）第一チューブ
（３）第二チューブ
（４）通気孔
（５）突起
（６）連接板
（７）貫通孔
（８）連接用突起部
（９）位置限定バー
（１０）プラグ
（１１）切欠き
【図１】
0003215282.tif 000003
【図２】
0003215282.tif 000004
【図３】
0003215282.tif 000005
【図４】
0003215282.tif 000006